(57)【要約】  【課題】アームホールに沿って施されたステッチ縫い目周辺の縫い目シワが少ない高品位の衣服を提供すること。  【解決手段】アームホールに沿ってステッチ縫目が施された衣服において、前身頃または後身頃のアームホールの脇下部分が生地の地のタテ方向に対し１３０〜１４０°の角度を有することを特徴とする衣服。【選択図】図８
2004339680.tif 000002
【特許請求の範囲】
【請求項１】
アームホールに沿ってステッチ縫目が施された衣服において、前身頃および／または後身頃のアームホールの脇下部分が生地の地のタテ方向に対し１３０〜１４０°の角度を有することを特徴とする衣服。
【請求項２】
アームホールの脇下部分が直線で構成されていることを特徴とする請求項１記載の衣服。
【請求項３】
前身頃または後身頃のアームホール上部の少なくとも一部が直線であることを特徴とする請求項１または２記載の衣服。
【請求項４】
アームホールに沿ってステッチ縫目が施された衣服において、袖山が連続した凸形状を有することを特徴とする衣服。
【請求項５】
袖山の脇下部分の曲率が、袖山の中央部分の曲率に比べて大きいことを特徴とする請求項４記載の衣服。
【請求項６】
請求項１〜３いずれかの特徴と請求項４または５記載の特徴とを有する衣服。
【請求項７】
前身頃または後身頃のアームホールに切り込み式の合い印が施されていることを特徴とする請求項１〜６のいずれかに記載の衣服。
【請求項８】
アームホール部が複数の直線から構成され、前記合い印が前記複数の直線の交点付近に存在することを特徴とする請求項７記載の衣服。
【請求項９】
袖生地のアームホールと縫い合わされる部分に、アームホールに施された切り込み式の合い印と相対する位置に小穴が空いていることを特徴とする請求項７または８に記載の衣服。
【発明の詳細な説明】
【技術分野】
【０００１】
本発明は、アームホールに沿ってステッチ縫い目が施された衣服に関するものである。
【背景技術】
【０００２】
従来より、アームホールに沿ってステッチ縫い目が施された衣服は数多く提供されている。ところが、これらの衣服は、当該ステッチ縫い目周辺に縫い目シワが多く発生しやすく、見た目が悪くなることが常であった。具体的には、図３のように従来の衣服の身頃のアームホールの脇下部分との接線Ｌ２と生地の地のタテ方向Ｌ１とのなす角度Ｒは、１００〜１２０°程度の角度を有しているのが一般的であった。このようにアームホールが大きなカーブを描くような身頃を使用し、アームホールに沿ってステッチ縫い目を施すと、織物の経糸と緯糸の構造により、アームホール周辺の生地の織糸の直交組織がアームホールに沿って動きやすい方向とそうでない方向が出来る。かかる状態でステッチ縫い目を施すと生地の織糸の直交組織がずれやすい方向にずれた状態で縫い合わされてしまい、縫い目シワが発生する原因となっていた。
【０００３】
また、図３のような従来の衣服の身頃のアームホールにステッチ縫い目を施す際、図９に示すように、袖付けの地縫い線Ｊ１のカーブを折れ山にしてカーブの外側（身頃生地側）に折り返されるアームホールの生地端（縫い代）Ａがカーブの内外周の長さの差によって引きつれ、アームホールステッチＳ１と地縫い線Ｊ１との間にシワが発生する原因となっていた。
【０００４】
さらに、図９に示すように、袖付け地縫い工程で縫い合わされるアームホールの地縫い線Ｊ１と袖山のカーブの曲率の違いから、両者のカーブの内外周の長さの差が異なることで、袖山のステッチ線Ｓ２は、アームホールのステッチ線Ｓ１の長さに比べ短くなり、アームホールにステッチを施すと袖山の縫い代Ｓ２が引きつれて、アームホールステッチＳ１と地縫い線Ｊ１との間にシワが発生する原因となっていた。
【０００５】
また、さらには、従来の衣服では図１３に示すように、それぞれ縫い代の幅の異なるアームホールと袖山の地縫いを、それぞれの生地端に施された合い印を頼りに縫製することが極めて困難であった。すなわち、生地の地のタテ方向で伸びにくいアームホールと、バイアス方向で伸ばされやすい袖山を縫い合わせると、合い印を正確に合わせないと袖山が自然と伸ばされた状態で、アームホールステッチにシワが発生する原因となっていた。
【０００６】
さらには、従来の衣服の袖山の形状は、図１１のように、中央部分が凸形状であるのに対し、脇下部分（両端）の形状は、凹形状であることが一般的である。
【０００７】
かかる形状の袖生地を身頃のアームホールと縫い合わせ、アームホールに沿ってステッチ縫い目を施すと、例えば、図１２に示すような縫い目で構成した場合、袖山中央部分の凸部においては、袖の内側へ折り重ねられる生地端の長さは、生地端が折り重なる部分の長さに比べて十分な長さを有し、大きな問題にならないが、袖山の脇下部分（両端）においては、袖の内側に折り重ねられる生地端の長さが、生地端が折り重ねられる部分の長さに比べ短くなる。その結果、折り返した生地の端が縫い目の方向に引きつれるかたちでアームホールに沿った縫い目の周辺に縫い目シワが発生しやすくなる。  このような問題を改善するため、アイロンやプレスで熱融着させるテープ部材を生地を折り重ねる部分に介在させ、縫い合わせた後のプレスでシワを潰して固着させる方法が提案されている。（例えば特許文献１参照）。
【０００８】
しかしながら特許文献１の方法では、縫い目に発生するシワを潰して隠すことができるものの、風合いが堅くなり、縫い目が潰れた感じの衣服となり見栄えが悪いという問題があった。また、縫い目シワを根本的に改善するものではなく、生地の織糸の直交組織のズレが残り、特にチェック柄やボーダー柄の生地では見栄えが悪いという問題があった。
【特許文献１】特開平１１−２００１２７号公報（第１−２頁）
【発明の開示】
【発明が解決しようとする課題】
【０００９】
本発明の目的は、上記の従来技術の問題点を解決することにあり、アームホールに沿ってステッチ縫い目が施された衣服の縫い目周辺に発生しやすい縫い目シワが非常に少ない衣服を提供することにある。
【課題を解決するための手段】
【００１０】
本発明は、上記の課題を解決するため以下の構成を採用する。すなわち本発明は、
１．アームホールに沿ってステッチ縫目が施された衣服において、前身頃および／または後身頃のアームホールの脇下部分が生地の地のタテ方向に対し１３０〜１４０°の角度を有することを特徴とする衣服、
２．アームホールの脇下部分が直線で構成されていることを特徴とする前記衣服、３．前身頃または後身頃のアームホール上部の少なくとも一部が直線であることを特徴とする前記いずれかの衣服、
４．アームホールに沿ってステッチ縫目が施された衣服において、袖山が連続した凸形状を有することを特徴とする衣服、
５．袖山の脇下部分の曲率が、袖山の中央部分の曲率に比べて大きいことを特徴とする前記衣服、
６．前記１〜３いずれかの特徴と前記４または５記載の特徴とを有する衣服、
７．前身頃または後身頃のアームホールに切り込み式の合い印が施されていることを特徴とする前記いずれかに記載の衣服、
８．アームホール部が複数の直線から構成され、前記合い印が前記複数の直線の交点付近に存在することを特徴とする前記衣服、
９．袖生地のアームホールと縫い合わされる部分に、アームホールに施された切り込み式の合い印と相対する位置に小穴が空いていることを特徴とする前記いずれかの衣服
からなる。
【発明の効果】
【００１１】
本発明によれば、アームホールに沿ってステッチ縫い目が施された衣服の縫い目シワが少ない高品位の衣服が得られる。
【発明を実施するための最良の形態】
【００１２】
本発明の衣服は、アームホールに沿ってステッチ縫目が施された衣服において、前身頃または後身頃のアームホールの脇下部分が生地の地のタテ方向に対し１３０〜１４０°の角度を有することが望ましく、かつ、直線で構成することがさらに効果的である。
【００１３】
ここで、前身頃および後身頃の両身頃が、アームホールの脇下部分が生地の地のタテ方向に対し１３０〜１４０°の角度を有し、さらに直線で構成されていることも、本発明の好ましい態様である。
【００１４】
本発明の構成を有することにより、前身頃または後身頃のアームホールの脇下部分の縫い目シワが改善され、見栄えの良い衣服を得ることができる。
【００１５】
詳しくは、アームホールの脇下部分を生地の地の正バイアス方向（１３５°）にすることにより、地縫い線とステッチ線の間に存在する織物のタテ糸の長さとヨコ糸の長さが均等となり、アームホールの脇下部分周辺の生地のアームホールに沿って動きやすい方向とそうでない方向との関係が両者の間で均等となり、生地の織糸直交組織のズレを防いで斜めシワの発生を防ぐことが可能となるのである。
【００１６】
また、当該脇下部分を直線で構成することにより、アームホールの縫い代がカーブの外側（身頃側）に折り返されても縫い代が引きつれることがなく、シワの発生を防ぐことが可能となる。
【００１７】
また本発明の衣服は、脇下部分以外のアームホール部が直線を含んで構成され、アームホールを構成する直線と直線の交点に切り込み式の合い印が施されていることが好ましい。そうすることにより、アームホールの縫い代がカーブの外側（身頃側）に折り返されても、直線部分では縫い代が引きつれることがなく、さらには直線と直線の間に施された切り込み式の合い印が開くことで、アームホールの縫い代を折り返したときに縫い代のその結果、アームホールの縫い目シワを軽減させることが出来る。
【００１８】
更に本発明の衣服は、袖山の形状を連続した凸形状とすることが好ましい。そうすることにより、アームホールの地縫い線とステッチ線との長さの差と、袖山の地縫い線とステッチ線との長さの差を等しくさせることが出来、その結果、アームホールにステッチを施した時でも袖山の縫い代が引きつれて出来る縫い目シワを軽減させることが出来る。
【００１９】
また更に本発明の衣服は、袖生地のアームホールと縫い合わされる部分の、アームホールに施された切り込み式の合い印と相対する位置に小穴が空いていることが好ましい。そうすることにより、袖付け地縫いの際、従来技術のような生地端に施された合い印を頼りに縫い合わせることにより、正確に縫い合わせることが出来、その結果、伸びやすい袖山が自然に伸ばされた状態で縫い合わされて袖山の縫い代が引きつれて発生するシワを軽減させることができる。
【００２０】
以下、本発明の衣服を図を用いて詳細に説明するが、本発明はこれらの実施態様に制限されるものではない。
【００２１】
図１は、本発明の衣服の前身頃の一態様を表す説明図である。また、図２は、その前身頃のアームホール部分の袖山と縫い合わせる線を記載した説明図である。また、図３は従来の衣服の前身頃の一形態を表す説明図である。
【００２２】
図１、図３において説明するように、身頃のアームホールの脇下部分が生地の地のタテ方向に対し成す角度とは、Ｌ１とＬ２の成す角度Ｒを言う。Ｌ１は垂線方向であり、Ｗ１地点における生地の下部方向の接線を意味するものではない。
【００２３】
一方、Ｌ２は、アームホールの脇下部分Ｗ１での接線である。
【００２４】
アームホールとは、図２において、衣服の身頃生地が袖生地と縫い合わされる部分Ａのことである。また、図１においては、Ａ１とＡ２とを合わせた部分である。
【００２５】
また、アームホールに沿って施されたステッチ縫い目としては、例えば、図４〜図６に示すような地縫いＪの後でステッチＳを施すもの、図７に示すような複数のステッチＳを同時に施して縫い合わせたタイプのものなどを挙げることができる。
【００２６】
本発明において、アームホールの脇下部分Ａ１とは、アームホールの下部分の脇下点Ｗ１周辺のことであり、身頃のアームホール長さの１／６以下程度の長さの範囲を言うが、実用上は、身頃のアームホール長さの１／１０程度の長さが、生地の地のタテ方向に対し１３０〜１４０°の角度を有する直線であることが好ましい。
【００２７】
本発明の衣服は、脇下部分以外のアームホール部分が直線を含んで構成されることが好ましい。ここで、脇下部分以外のアームホール部分とは、アームホール全体から前記アームホール脇下部分Ａ１を除いた部分である。
【００２８】
ここで、前身頃および後身頃のアームホール上部Ａ２が直線であることも本発明の好ましい態様である。
【００２９】
前身頃または後身頃のアームホール上部の少なくとも一部を直線にすることにより、前身頃または後身頃のアームホールの上部の縫い目シワが改善され、見た目の良い衣服を得ることができる。
【００３０】
すなわち、図１は前身頃について説明した図であるが、前身頃Ｆのアームホール上部Ａ２の折り返された生地端と当該生地端が折り重なった部分の長さが同じ長さとなるため、生地端が引きつれることで発生するシワを改善することができる。
【００３１】
通常アームホールと袖山の形状は図９に示すようにアームホールおよび袖山共に連続したカーブであるが本発明のアームホールは直線を含む形状とすることが好ましく、アームホールを構成する直線の数は、４〜９つ程度の直線で十分である。実際には図８のように６つ程度の直線で構成することが好ましい。
【００３２】
また、アームホール上部の直線部分は、生地の地のタテ方向と平行であることも本発明の好ましい態様である。そうすることにより袖付け地縫いの後のアームホールステッチが生地の地のタテ方向と平行になり、その結果生地の織糸の直交組織の変形が起こりにくくなり、袖付け地縫いとアームホールステッチとの間の斜めシワを軽減することができる。
【００３３】
本発明の衣服は、アームホールが複数の直線から形成され、その直線と直線との交点付近に切り込み式の合い印が施されていることが好ましい。そうすることにより、アームホールの折り返される生地端に発生しやすい引きつれを切り込みが開くことで緩和され、その結果、縫い目周辺のシワを改善することができる。切り込み式の合い印としては、単に生地端に切り込みを施すものでもよいが、生地端をＶ字型に切り落としたものや、Ｕ字型に切り落としたものであれば、オペレーターが合い印を認識しやすくなるので、好ましい。
【００３４】
また、切り込み式の合い印の位置としては、アームホールを構成する直線と直線の交点付近であれば効果が得られるが、直線と直線とのなす角度の２等分線を包むかたちで切り込みを付与することが特に好ましい。
【００３５】
本発明の衣服においては、特に、前身頃または後身頃のアームホールの脇下部分Ａ１と上部Ａ２とがつながる部分Ａ３が急なカーブとなり、生地端を折り返したときに生地端が引きつれやすくなるので、衣服の表側から見えない範囲で、可能な限り深く切り込みを入れて縫製することが好ましい。
【００３６】
通常の袖山が図１１に示すように凹凸形状を組み合わせた形状であるのに対し、本発明の一態様の衣服の袖山は、袖山が連続して凸形状を有するものである。連続した凸形状とは図１０に示すように袖山Ｕ１が任意の場所において凸形状であるということである。そうすることにより、図８に示すようにアームホール全体の形状と袖山全体の形状が近似し、アームホールの地縫い線Ｊ１とステッチ線Ｓ１との長さの差と袖山の地縫い線Ｊ２とステッチ線Ｓ２との長さの差を等しくすることができ、袖山の縫い代の引きつれによるシワを軽減することができる。
【００３７】
更に詳しくは、通常、身頃のアームホール部Ａの形状は、図３に示すように脇下点Ｗ１の近傍が、アームホール部方向の線と脇方向との線とがなす急なカーブ形状となっているため当該脇下部分と縫い合わされる袖生地の生地端は袖山の中央部分生地と比べて生地の引きつれが大きくなる。よって図１０に示すように、袖山Ｕ１の両端部、すなわち袖山の脇下点Ｗ１近傍の曲率を袖山の中央部分の曲率と比べて大きくすることで、脇下部分の生地端の長さに余裕を持たせることが出来、その結果、生地端の引きつれを軽減し、ステッチ周辺の縫い目シワを軽減することができる。また曲率を大きくする範囲は、アームホール部の長さの１／３以下の長さに相当する袖山脇下部分の範囲を大きくすることが好ましい。実用上、更に好ましくは、アームホール部長さの１／４の長さに相当する範囲が上述の関係にあることが好ましい。
【００３８】
また、通常の袖生地とアームホールとを縫い合わせる部分は図９に示すように縫い合わせる合い対する位置には双方に切り込み式の合い印が入っているが、その地縫い部分を縫い合わせる場合、図１３に示すように地縫い部分を重ねると合い印の入っている生地端がずれることになり目測で合い印を合わせる必要があった。その結果、合い印のズレが発生しやすく、発生したズレはシワとなって現れてくるものであった。
【００３９】
本発明の衣服においては、袖生地のアームホールと縫い合わされる部分の、アームホールに施された切り込み式の合い印と相対する位置に小穴が空いていることが好ましい。詳しくは、図８に示す袖山のアームホールと縫い合わせる地縫い線Ｊ２と、図８に示すアームホールの袖山と縫い合わされる地縫い線Ｊ１とを縫い合わせる際、図１２のように、袖生地のアームホールの切り込み式合い印Ｋと小穴Ｈとを合わせながら縫い合わせることにより、アームホールと袖山がずれることなく適切な位置で縫い合わせることができ、縫い目シワの発生を改善することができるのである。すなわち、アームホールに沿った方向Ｃ１と、袖山高さの方向Ｃ２とを正確に合わせて縫い合わせることができ、その結果、縫い目シワの発生を改善することができるのである。小穴の機能を有するものとしては、マークなどを挙げることができるが、生産性などの点から、小穴が好ましいのである。小穴を形成する手段は特に限定されず、公知の方法を使用することができる。例えば、積層裁断等の際に目打ちドリル等（ポンチタイプなど）を使用する方法が好ましく用いられる。小穴の数は特に限定されないが、縫い合わせるアームホールに施された切り込み式の合い印に合わせる。また、小穴どうしの間隔は、袖山の地縫い線およびステッチ線の長さが、相対するアームホールの地縫い線およびステッチ線の長さが同じかやや大きくなるようにすることが好ましい。特に前身頃および後身頃の内、表側からよく見える部分は、アームホールの地縫い線およびステッチ線の長さに対し、袖山の地縫い線およびステッチ線の長さが２〜４％程度長くなるような位置に小穴を空けることで、袖山をいせ込んで縫い合わせることができ、アームホールの沿って施された縫い目周辺のシワを軽減することができるので好ましい。
【００４０】
小穴のサイズは、特に限定されないが、縫製の際、認識しやすく、かつ衣服では目立たないという観点から、直径が０．５ｍｍ〜３．０ｍｍの範囲であるのが好ましい。
【００４１】
また、本発明の衣服における袖生地の袖下部分Ｕ３の脇下部分は図８に示すように袖山線Ｕ１と袖下線Ｕ３とがほぼ直角に交わるようなカーブ形状とすることが好ましい。そうすることにより、アームホールと袖生地を縫い合わせたとき、身頃の脇線Ｗと袖下線Ｕ３が滑らかなカーブでつながることになり、袖下・脇合わせ工程で縫い合わせやすく、かつシワなく縫い上がることになる。
【００４２】
また、袖生地の袖山部分の両端（両脇下部分）は図１４に示すように凸型の形状Ｔを付与することが好ましい。そうすることにより、身頃と袖を縫い合わせる時の縫い始めの合い印となり、かつ、縫い合わせた後図１５に示すように脇線の形状に合致させることができ好ましい。
【実施例】
【００４３】
実施例１
素材は、経糸および緯糸に綿１００％の８０番糸を双糸使いで経糸密度１４６本／２．５４ｃｍ、緯糸密度８０本／２．５４ｃｍの平織り生地を使用した。衣服デザインは一般的なドレスシャツとし、前身頃および後身頃のアームホールの脇下部分の内、アームホール長さの１／１０の長さが生地の地のタテ方向に対し１３５°となるように裁断した。また、前身頃および後身頃のアームホールの上部が直線となるように裁断した。更に、前身頃および後身頃のアームホールの脇下部分と上部とが接する位置の生地端に、衣服表側から見えない範囲で切り込みを入れた。アームホールの縫い目は、一本針本縫いミシンを用いて図５に示す縫い目形式で縫い合わせた。
得られたドレスシャツの袖付け部分の縫い目シワを、ＪＩＳ Ｌ １９０５（繊維製品のシームパッカリング評価方法）に基づく方法で評価した。
【００４４】
実施例２
実施例１と同様の素材を使用し、前身頃および後身頃のアームホールの脇下部分の内、アームホールの長さの１／１０の長さが生地の地のタテ方向に対し１３５°となり、アームホールの上部が直線となるように裁断し、さらに、脇下部分と上部との交点に衣服表側から見えない範囲で切り込みを入れた。また、袖生地の形状を脇下部分の曲率が袖山の中央部分の曲率に比べて大きくなるような図８に示すような連続した凸形状の袖生地とし、かつ、アームホールの裁ち端の合い印と相対する位置に小穴をあけた。くわしくは、袖山の生地端に沿って生地端から１．３ｃｍの位置に前・後身頃のアームホールの脇下部分と上部とが接する位置と、ヨークのアームホールの前・後身頃とが縫い合わされた位置と相対する位置で、直径１．５ｍｍの小穴をあけた。アームホールの縫い目は、１本針本縫いミシンを用いて図５に示す縫い目形式で縫い合わせた。得られたドレスシャツの袖付け部分の縫い目シワをＪＩＳ  Ｌ  １９０５（繊維製品のシームパッカリング評価方法）に基づく方法で評価した。
【００４５】
比較例１
従来の衣服と同様に、前身頃および後身頃のアームホールの脇下部分を、生地の地のタテ方向に対し１１０°の角度となるように裁断した。また、前身頃および後身頃のアームホール上部が直線となるように裁断した。その他の部分については、実施例１と同じ方法で本発明の比較例１を得た。得られたドレスシャツについて、実施例１と同じ評価を行った。
【００４６】
比較例２
袖山の中央部分を凸形状で脇下部分（両端）を凹形状とし、アームホールの形状を連続したカーブからなる図９に示すような従来のドレスシャツと同様の袖、前・後身頃を裁断し、裁断した袖山の生地端に、前・後身頃のアームホールの脇下部分と上部とが接する位置と、ヨークのアームホールの前身頃とが縫い合わせられた位置と相対する位置で切り込みＮを入れた。その他については実施例１と同様にしてドレスシャツを得た。得られたドレスシャツについて実施例１と同様の評価を行った。
【００４７】
実施例および比較例を評価した結果、比較例１および２のアームホールに沿ったステッチ縫い目周辺の縫い目シワが２〜３級であるに対して、実施例１および２のそれは４級であり。実施例のほうが品位に優れるものであった。
【図面の簡単な説明】
【００４８】
【図１】本発明の衣服の前身頃の一形態を表す説明図である。
【図２】本発明の衣服の前身頃の縫い合わせ部分を表す説明図である。
【図３】従来の衣服の前身頃の一形態を表す説明図である。
【図４】脇縫い目の一形態を表す説明図である。
【図５】脇縫い目の一形態を表す説明図である。
【図６】脇縫い目の一形態を表す説明図である。
【図７】脇縫い目の一形態を表す説明図である。
【図８】本発明の衣服のアームホール周辺の展開図である。
【図９】従来の衣服のアームホール周辺の展開図である。
【図１０】本発明の袖生地の一形態を表す説明図である。
【図１１】従来の袖生地の一形態を表す説明図である。
【図１２】本発明の衣服のアームホールと袖山とを縫い合わせた一部分を表す説明図である。
【図１３】従来の衣服のアームホールと袖山とを縫い合わせた一部分を表す説明図である。
【図１４】本発明の衣服の袖生地の脇下部分の図である。
【図１５】本発明の衣服の身頃と袖を縫い合わせた後の脇下部分の図である。
【符号の説明】
【００４９】
Ａ  ：身頃のアームホール
Ａ１：身頃のアームホールの脇下部分
Ａ２：身頃のアームホールの上部
Ａ３：Ａ１とＡ２とがつながる部分
Ａ４：身頃のアームホールの袖山と縫い合わせる線
Ｓ  ：ステッチ縫い
Ｊ  ：地縫い
Ｊ１：アームホールの地縫い線
Ｊ２：袖山の地縫い線
Ｓ１：アームホールのステッチ線
Ｓ２：袖山のステッチ線
Ｆ  ：前身頃
Ｕ  ：袖
Ｕ１：袖山
Ｕ３：袖下線
Ｌ１：生地の地のタテ方向
Ｌ２：アームホールの脇下部分の接線
Ｒ  ：Ｌ１とＬ２のなす角
Ｗ  ：脇線
Ｗ１：脇下点
Ｃ１：アームホールに沿った方向
Ｃ２：袖山の高さの方向
Ｈ  ：小穴
Ｋ  ：切り込み式の合い印
Ｔ  ：袖生地の脇下部分の突起
【図１】
2004339680.tif 000003
【図２】
2004339680.tif 000004
【図３】
2004339680.tif 000005
【図４】
2004339680.tif 000006
【図５】
2004339680.tif 000007
【図６】
2004339680.tif 000008
【図７】
2004339680.tif 000009
【図８】
2004339680.tif 000010
【図９】
2004339680.tif 000011
【図１０】
2004339680.tif 000012
【図１１】
2004339680.tif 000013
【図１２】
2004339680.tif 000014
【図１３】
2004339680.tif 000015
【図１４】
2004339680.tif 000016
【図１５】
2004339680.tif 000017